(57)【要約】【課題】本発明は、電子装置を無線充電でき、安定して固定でき且つ便利な無線充電装置を提供することを目的とする。【解決手段】本発明は、ベース及びベースに装着されるフレームを備え、ベースは、挟部及び挟部の中心に位置する突出部を備え、フレームは、基部、基部から同じ方向へ延伸する第一側壁及び第二側壁を備え、突出部は基部内に収容され、基部は、挟部内に収容され、第一側壁と第二側壁との間には、電子装置を収容できる収容溝が設けられ、第二側壁内には無線充電モジュールが設置されている。【選択図】図１
2016034227.tif 000002
【特許請求の範囲】
【請求項１】
電子装置を車内に固定できる無線充電装置であって、
ベースと、
前記ベースに装着されるフレームと、
を備え、
前記ベースは、挟部及び前記挟部の中心に位置する突出部を備え、前記フレームは、基部、前記基部から同じ方向へ延伸する第一側壁及び第二側壁を備え、前記突出部は前記基部内に収容され、前記基部は、前記挟部内に収容され、前記第一側壁と前記第二側壁との間には、前記電子装置を収容できる収容溝が設けられ、前記第二側壁内には無線充電モジュールが設置されていることを特徴とする無線充電装置。
【請求項２】
前記第一側壁には、前記収容溝と隣接する内側板及び収容溝から離れた側に外側板を備え、前記内側板には、前記第二側壁に向けて又は前記第二側壁から離れるように弾性変形できる弾性部が設置されていることを特徴とする請求項１に記載の無線充電装置。
【請求項３】
前記挟部は、間隔をあけて設置された複数の弾性片を備え、前記各弾性片は、前記突出部に連接されている連接部と、前記連接部の末端から斜めに延伸する傾斜部と、前記傾斜部の上端から突出部にむけて延伸する係合部と、を備えることを特徴とする請求項１又は２に記載の無線充電装置。
【請求項４】
前記基部は、間隔をあけて設置された複数の固定部を備え、隣接する２つの前記固定部の間には、一つの前記弾性片を収容できる収容孔が設けられていることを特徴とする請求項３に記載の無線充電装置。
【請求項５】
前記第二側壁は、前記収容溝と隣接する内側板及び前記収容溝から離れた側に外側板を備え、前記無線充電モジュールは、前記第二側壁の前記内側板と前記外側板との間に収容されることを特徴とする請求項１から４の何れか一項に記載の無線充電装置。
【請求項６】
前記第二側壁の両側において、ＵＳＢ及びマイクロＵＳＢがそれぞれ設置されることを特徴とする請求項１から５の何れか一項に記載の無線充電装置。
【請求項７】
前記第二側壁の両側において、ミニＵＳＢ及び並列バスインタフェースが設置されることを特徴とする請求項１から６の何れか一項に記載の無線充電装置。
【請求項８】
前記第二側壁内には、無線通信モジュールがさらに設置され、前記電子装置は、前記無線通信モジュールを介して前記車と無線通信できることを特徴とする請求項１から７の何れか一項に記載の無線充電装置。
【請求項９】
前記第一側壁には、弾性部品が設置されていることを特徴とする請求項１から８の何れか一項に記載の無線充電装置。
【発明の詳細な説明】
【技術分野】
【０００１】
本発明は、無線充電装置に関するものである。
【背景技術】
【０００２】
従来の技術において、携帯電話などの電子装置を充電する際、データ線を介して電子装置を電源に接続する。車内で充電する場合も、データ線を介して電子装置を車端電源（例えば、シガーライタ）に接続する。しかし、電子装置は、コントロール台の上方に置かれる他、フロントガラスや冷房吹出口付近に設置された収納フレーム内に収容するのが一般的であるため、電子装置を収容したり、電子装置を取り出す際に不便である。また、電子装置に接続されているデータ線は、運転の邪魔となり、時に事故を引き起こす場合もある。
【発明の概要】
【発明が解決しようとする課題】
【０００３】
本発明の目的は、前記問題を解決し、電子装置を無線充電でき、安定して固定でき且つ便利な無線充電装置を提供することである。
【課題を解決するための手段】
【０００４】
上記目的を達成するために、本発明に係る無線充電装置は、ベース及びベースに装着されるフレームを備え、ベースは、挟部及び挟部の中心に位置する突出部を備え、フレームは、基部、基部から同じ方向へ延伸する第一側壁及び第二側壁を備え、突出部は基部内に収容され、基部は、挟部内に収容され、第一側壁と第二側壁との間には、電子装置を収容できる収容溝が設けられ、第二側壁内には無線充電モジュールが設置されている。
【発明の効果】
【０００５】
本発明に係る無線充電装置は、ベースを介して、フレームを異なる収容空間に固定でき無線充電モジュールを介して電子装置に対して無線充電できる。
【図面の簡単な説明】
【０００６】
【図１】本発明の実施形態に係る無線充電装置の組立斜視図である。
【図２】図１に示す無線充電装置のベースの拡大斜視図である。
【図３】図１に示す無線充電装置のフレームの別の視角からみた拡大斜視図である。
【発明を実施するための形態】
【０００７】
図１に示したように、本発明の実施形態に係る無線充電装置１００は、ベース１０及びベース１０に係合されるフレーム２０を備える。ベース１０は、車内のカップホルダー又は他の収容空間内に収容されることが可能である。ベース１０は、カップホルダーや他の収容空間の側壁に押圧されて収縮して、フレーム２０を固定する。これにより、フレーム２０は、車内に緊密に固定される。
【０００８】
図２に示したように、ベース１０は、咲いた花のような挟部１１及び挟部１１の中央にある突出部１２を備える。突出部１２の底部は、挟部１１に連接されている。
【０００９】
挟部１１は、第一弾性片１１１と、第二弾性片１１２と、第三弾性片１１３と、第四弾性片１１４と、を備える。他の実施形態において、弾性片の数は四つに限定されず、それ以上又は２つ、３つであっても良い。第一弾性片１１１は、突出部１２の底部に連接されている連接部１１１１と、連接部１１１１の末端から斜め上方に延伸する傾斜部１１１２と、傾斜部１１１２の上端から突出部１２にむけて延伸する係合部１１１３と、を備える。第二弾性片１１２、第三弾性片１１３、第四弾性片１１４は、第一弾性片１１１と同様の構造を有する。
【００１０】
突出部１２は、中空の円柱状であって、フレーム２０を装着し、且つ支持する。第一弾性片１１１、第二弾性片１１２、第三弾性片１１３、第四弾性片１１４は、外力により、突出部１２に向けて弾性変形できる。
【００１１】
図１及び図３に示したように、フレーム２０は、基部２１と、基部２１から上方へ延伸する第一側壁２２と、第二側壁２３と、を備える。第一側壁２２と第二側壁２３との間には、収容溝２４が設けられている。
【００１２】
基部２１の底部には、間隔をあけて位置する複数の固定部が設置されており、該固定部は、第一固定部２１１と、第二固定部２１２と、第三固定部２１３と、第四固定部２１４と、を備える。他の実施形態において、固定部の数は、弾性片に対応して設置することができ、四つに限定されず、それ以上又は２つ、３つであっても良い。隣接する固定部の間には、弾性片をそれぞれ収容する複数の収容孔２１５が設けられている。
【００１３】
第一側壁２２は、収容溝２４に隣接する内側板２２１と、収容溝２４から離れるように位置し、且つ内側板２２１に連接された外側板２２２と、を備える。内側板２２１の上部は、第二側壁２３から離れるように斜めに延伸している。内側板２２１と外側板２２２との間には、収容空間(図示せず)が設けられている。内側板２２１には、弾性部２２１１が設置されており、該弾性部２２１１は、第一側壁２２の収容空間内に設置されているバネ又はＶ字状を呈する弾性片など（図示せず）の弾性部品を介して、内側板２２１に向けて又は内側板２２１から離れるように弾性変形できる。
【００１４】
第二側壁２３の構造は、第一側壁２２の構造と類似しており、収容溝２４に隣接する内側板２３１、収容溝２４から離れるように位置し、且つ内側板２３１に連接されている外側板２３２、内側板２３１と外側板２３２との間に形成されている収容空間内に収容される充電モジュール２３３及び無線通信モジュール２３４を備える。内側板２３１の上部は、第一側壁２２から離れるように斜めに延伸している。第二側壁２３の両側において、基部２１に隣接する箇所には、ユニバーサルシリアルバス（ＵＳＢ）２３２１及びマイクロユニバーサルシリアルバス（マイクロＵＳＢ）２３２２がそれぞれ設置されている。他の実施形態において、ＵＳＢ２３２１及びマイクロＵＳＢ２３２２ではなく、他の種類のポート、例えばミニＵＳＢ及び並列バスインタフェースをそれぞれ設置してもよい。無線充電モジュール２３３は、電子装置を無線充電することができる。本実施形態において、第二側壁２３の高さは、第一側壁２２より高いので、電子装置は第二側壁２３に沿って、収容溝２４内に容易に収容することができる。
【００１５】
他の実施形態において、無線通信モジュール２３４は、他の箇所に設置しても良い。無線通信モジュール２３４は、Ｂｌｕｅｔｏｏｔｈ(登録商標)モジュール又は近距離無線通信（ＮＦＣ）モジュールである。電子装置は、無線通信モジュール２３４を介して、車内のサーバ又はメディア端末に無線接続されることが可能である。
【００１６】
収容溝２４は、基部２１の上方に位置し、電子装置を収容する。
【００１７】
無線充電装置１００を使用する際、先ず、フレーム２０をベース１０に装着する。この時、突出部１２は、フレーム２０の固定部の中央に収容される。フレーム２０の基部２１は、挟部１１の中央に収容される。次いで、ベース１０をカップホルダーや他の収容空間内に挿入する。この時、ベース１０の挟部１１はカップホルダーや他の収容空間の側壁に押圧されて、ベース１０の突出部１２に向けて弾性変形し、且つ収容孔２１５にそれぞれ係合され、フレーム２０を突出部１２に固定する。また、無線充電装置１００は、異なるタイプの車に適用することができるため、無線充電装置１００の汎用性を向上させる。
【００１８】
次いで、電子装置を、収容溝２４内に入れて、フレーム２０に装着する。収容溝２４は、異なるサイズの電子装置を収容できる。弾性部２２１１は、弾性変形して、第二側壁２３と共に、電子装置を挟んで固定し、この時、無線充電モジュール２３３は、電子装置の充電を開始する。
【００１９】
フレーム２０には、ＵＳＢ２３２１及びマイクロＵＳＢ２３２２が設置されているので、データの無線転送機能を有していない携帯電話やメディア端末など、データラインを介して、フレーム２０に接続することができる。
【符号の説明】
【００２０】
１０  ベース
１００  無線充電装置
１１  挟部
１２  突出部
１１１  第一弾性片
１１２  第二弾性片
１１３  第三弾性片
１１４  第四弾性片
１１１１  連接部
１１１２  傾斜部
１１１３  係合部
２０  フレーム
２１  基部
２２  第一側壁
２３  第二側壁
２４  収容溝
２１１  第一固定部
２１２  第二固定部
２１３  第三固定部
２１４  第四固定部
２１５  収容孔
２２１、２３１  内側板
２２２、２３２  外側板
２２１１  弾性部
２３３  無線充電モジュール
２３２１  ＵＳＢ
２３２２  マイクロＵＳＢ
２３４  無線通信モジュール
【図１】
2016034227.tif 000003
【図２】
2016034227.tif 000004
【図３】
2016034227.tif 000005